(57)【特許請求の範囲】
【請求項１】
たて糸（２）とよこ糸（３）とを筒状に織成してなる筒状織布であって、前記よこ糸（３）の少なくとも一部が、剛性の高いモノフィラメントよりなり、当該筒状織布を集排水管（１）として敷設穴（１０）に挿入した状態における、下部の排水部（４）のたて糸（２ａ）が低融点糸よりなっており、上部の集水部（５）のたて糸（２ｂ）が通常の糸条よりなることを特徴とする、集排水管
【請求項２】
前記排水部（４）が、前記集配水管（１）における全周の１／３〜２／３であり、残余の部分が前記集水部（５）であることを特徴とする、請求項１に記載の集排水管
【請求項３】
前記低融点糸が、高融点の合成樹脂よりなる芯部（７）と、該芯部の周囲を取り巻いた低融点の合成樹脂よりなる鞘部（８）とよりなる、芯鞘型繊維（６）よりなることを特徴とする、請求項１又は２に記載の集排水管
【請求項４】
請求項１、２又は３に記載の集配水管（１）をコイル状に巻回し、当該コイル状の集排水管（１）を長さ方向に真っ直ぐに伸ばし、且つ前記低融点糸よりなるたて糸（２ａ）が下部となるようにしながら送り出しつつ、先ず当該筒状織布（１）を加熱して前記低融点糸よりなるたて糸（２a）の一部を溶融し、次いで前記集排水管（１）を冷却して溶融していた低融点糸よりなるたて糸（２a）を固化せしめると共に、前記集排水管（１）を剛直化せしめ、次いで剛直化した筒状織布（１）を敷設穴（３）に押し込むことを特徴とする、集排水管の敷設方法
【発明の詳細な説明】
【技術分野】
【０００１】
本発明は崖地などにおいて、土中に含まれた水を集めて抜くための水抜き管として使用される、集排水管及び、その集配水管を崖地などに穿設した敷設穴内に敷設する方法に関するものである。
【背景技術】
【０００２】
崖地などにおいて土中に水を多量に含んでいると、地滑りや崖崩れなどの災害を生じる恐れがあり、当該土中に含まれた水を集めて、崖地などの外部に排除することが必要とされる。
【０００３】
そのための集排水管として、例えば特開２００１−８２０７４号公報に記載されたように、硬質ポリ塩化ビニル管に多数の小孔を穿設した管を、水を含んだ土中に押し込み、当該土中から前記小孔を介して水を前記管内に集め、崖地などの外部に排出することが行われている。
【０００４】
しかしながらこの方法では、硬質ポリ塩化ビニルの管に小孔を穿設するので、当該小孔が大きいと周囲の土壌まで排出してしまい、また小孔が小さいと水を十分に管内に集めることができない。
【０００５】
またこの方法においては、前記管の長さが限られ、高々数メートル程度のものしか使用することができない。それを超える長大な管になると、それを作業現場に運ぶのが困難であり、またその作業現場の状況によっては、崖地などに管を押し込むためのスペースが確保できないことも少なくない。
【０００６】
またこれらの問題を解決する手段として、実開昭５４−９８０１０号公報に記載されているように、金属線又は硬質合成樹脂の線材をよこ糸とし、通常の軟質繊維をたて糸として織成した筒状織布を使用することが考えられている。
【０００７】
当該筒状織布を前記水抜き用の集排水管として水を含んだ土中に敷設し、当該筒状織布の布目の間から土中の水を集排水管の内部に集め、集排水管の中を通して崖地などの外部に排出するとするものである。
【０００８】
この方法では筒状織布を使用するため、前記硬質ポリ塩化ビニルの管に比べると柔軟であり、これを巻回した状態で運搬することができるので、比較的長い集排水管を敷設することが可能である。
【０００９】
しかしながらかかる長い集排水管を土中に穿設した敷設穴に押し込もうとすると、敷設穴の外から筒状織布を押し込むこととなり、筒状織布自体が比較的柔軟であり、しかも運搬のときの巻回癖がついているため、集排水管が敷設穴内に引っ掛かり、高々数メートル程度の距離しか押し込むことができない。
【００１０】
前述のような水を含んだ土中に水抜き管を敷設する場合には、数十メートル程度の長さに亙って敷設することが好ましく、前記特許文献に記載された方法ではこのような長い範囲に敷設することができない。
【００１１】
また出願人が特願２０１５−２００３５１号として先に出願した、たて糸とよこ糸とを筒状に織成してなり、前記たて糸の一部が低融点糸よりなり、前記よこ糸の少なくとも一部が剛性の高いモノフィラメントよりなる筒状織布を集排水管とし、これを加熱することにより前記低融点糸を溶融して筒状織布を剛直化せしめ、当該集排水管を敷設穴内に引っかかることなく、後方から敷設穴内に押し込むことができるようにしたものもある。
【００１２】
このものは数十メートルに及ぶ集排水管を敷設穴内に押し込むことができ、また筒状織布の布目の間から水を集排水管内に収容し、当該集排水管を通じて崖地の外にまで水を排出することができるものである。
【００１３】
しかしながらこのものでは、筒状織布の全周に亙って布目が均等に開いているため、一旦当該集排水管内に入った水が、周囲の水が少ない箇所においては前記布目の間から再度外部に排出され、効率よく崖地の外にまで排出することができない場合がある。
【先行技術文献】
【特許文献】
【００１４】
【特許文献１】特開２００１−８２０７４号公報
【特許文献２】実開昭５４−９８０１０号公報
【発明の概要】
【発明が解決しようとする課題】
【００１５】
本発明はかかる事情に鑑みなされたものであって、前述のように比較的柔軟な長尺の筒状織布を集排水管として使用すると共に、当該筒状織布を敷設穴に押し込む直前に剛直化せしめることができ、且つ一旦当該集排水管内に入った水を、効率よく崖地の外に排出することができる、集排水管を提供することを目的とするものである。
【課題を解決するための手段】
【００１６】
而して本発明の集排水管は、たて糸とよこ糸とを筒状に織成してなる筒状織布であって、前記よこ糸の少なくとも一部が、剛性の高いモノフィラメントよりなり、当該筒状織布を集排水管として敷設穴に挿入した状態における、下部の排水部のたて糸が低融点糸よりなっており、上部の集水部のたて糸が通常の糸条よりなることを特徴とするものである。
【００１７】
本発明においては、前記排水部が、前記集配水管における全周の１／３〜２／３であり、残余の部分が前記集水部であることが好ましい。また本発明においては、前記低融点糸が、高融点の合成樹脂よりなる芯部と、該芯部の周囲を取り巻いた低融点の合成樹脂よりなる鞘部とよりなる、芯鞘型繊維よりなるものであることが好ましい。
【００１８】
また本発明の集排水管の敷設方法は、前記集配水管をコイル状に巻回し、当該コイル状の集排水管を長さ方向に真っ直ぐに伸ばし、且つ前記低融点糸よりなるたて糸が下部となるようにしながら送り出しつつ、先ず当該筒状織布を加熱して前記低融点糸よりなるたて糸の一部を溶融し、次いで前記集排水管を冷却して溶融していた低融点糸よりなるたて糸を固化せしめると共に、前記集排水管を剛直化せしめ、次いで剛直化した筒状織布を敷設穴に押し込むことを特徴とするものである。
【発明の効果】
【００１９】
本発明によれば、集排水管が織物構造であるため柔軟であり、よこ糸にモノフィラメントが使用されているので、通常の織物のように扁平に折りたたむことはできないものの、集排水管自体がポリ塩化ビニル管のような剛性を有しているわけではなく、比較的小径のコイル状に巻回することができる。従って長尺の週配水管をトラックに搭載して、作業現場に運搬することが可能である。
【００２０】
そして作業現場に到着したならば、前記コイル状に巻回した筒状織布である集排水管をコイルから引き出し、長さ方向に真っ直ぐに伸ばしながら送り出しつつ、当該集排水管を加熱してたて糸の低融点糸の一部を溶融し、次いでそれを冷却して溶融していた低融点糸を固化せしめることにより、前記集排水管を剛直化せしめ、前記真っ直ぐに伸ばしていた集排水管を真っ直ぐな状態で固定することができる。
【００２１】
従って当該真っ直ぐな状態で剛直化した集排水管を敷設穴に押し込むことにより、押し込まれる集排水管が柔軟な織布よりなる筒状体から、剛直な管体と化しているので、敷設穴内で無闇に曲がったり敷設穴に引っ掛かったりすることがなく、スムーズに敷設穴内に送入敷設することができる。
【００２２】
また本発明においては、筒状織布を集排水管として敷設穴に挿入した状態における、下部の排水部の前記たて糸が低融点糸よりなっており、当該低融点糸が溶融することにより筒状織布の布目が詰まっているので、集水部５における通常の糸条のたて糸の布目から浸入した水が、下方に浸出することがなく、集排水管を伝って効率よく崖地の外に排出することができるのである。
【図面の簡単な説明】
【００２３】
【図１】本発明の集排水管の斜視図
【図２】本発明の集排水管の横断面図
【図３】本発明における加熱した集排水管の横断面図
【図４】低融点糸の横断面図であって、（ａ）は通常状態、（ｂ）は加熱した状態を示す。
【図５】本発明の集排水管の使用方法を示す中央縦断面図
【発明を実施するための形態】
【００２４】
以下本発明を図面に基づいて説明する。図１及び図２は本発明の集排水管１を示すものであって、たて糸２と合成繊維のモノフィラメント糸よりなるよこ糸３とを筒状に織成した筒状織布である。
【００２５】
そして前記たて糸２としては、下部の約半分の排水部４が低融点糸よりなる低融点たて糸２aが使用されており、残余の上部の約半分の集水部５が通常の糸条よりなる通常たて糸２ｂが使用されている。なお前記集水部５と排水部４との比率は、厳密に半分ずつである必要はなく、それぞれ１／３〜２／３程度が適当である。
【００２６】
前記低融点たて糸２aを構成する低融点糸は、図４（ａ）に示すように高融点の合成樹脂よりなる芯部７と、該芯部７の周囲を取り巻いた低融点の合成樹脂よりなる鞘部８とよりなる、芯鞘型繊維６よりなるものを使用するのが好ましい。かかる芯鞘型繊維６としては、ユニチカ株式会社製の、商品名コルネッタとして市販されているものなどが知られている。
【００２７】
この集排水管１は図２の状態においては、低融点たて糸２aも通常たて糸２bも共に通常の糸条として挙動するので、通常の筒状の織布と同様であって、モノフィラメントよりなるよこ糸３により扁平に折り畳むことはできないものの、相当程度の柔軟性を有しており、コイル状に巻回することができる。
【００２８】
そしてこの集排水管１を、前記低融点糸の融点よりもわずかに高い温度に加熱すると、図３に示すように、低融点たて糸２aにおける低融点糸が一部溶融して隣接する低融点糸と合体する。
【００２９】
なおこのとき、低融点たて糸２aは完全に溶融してドロドロの状態になるわけではなく、低融点たて糸２aを構成する単繊維が部分的に溶融し、隣接する単繊維と融着し、さらによこ糸３とも部分的に融着する。
【００３０】
また低融点糸が前述の芯鞘型繊維６よりなるものである場合には、鞘部８の合成樹脂の融点より高い温度に加熱することにより、図４（ｂ）に示すように鞘部８が溶融して合体する。このときの温度は芯部７の合成樹脂の融点より低いので、芯部７は溶融することはなく、溶融した鞘部８内において芯部７は自由に動くことができ、芯鞘型繊維６の柔軟性は失われておらず、また集排水管１も十分に柔軟である。
【００３１】
次いで加熱していた集排水管１を冷却すると、溶融していた低融点たて糸２aは隣接する低融点たて糸２aと合体した状態で固化し、低融点たて糸２aが集まった部分は一体化し、剛直化する。
【００３２】
低融点糸が前記芯鞘型繊維６よりなる場合においても、鞘部８の合成樹脂は互いに合体した状態のままで固化する。これにより鞘部８の合成樹脂は全体として一体となり、芯鞘型繊維６の柔軟性は失われ、集排水管１は剛直化する。
【００３３】
このとき本発明においては、集排水管１はその排水部４のたて糸が低融点たて糸２aであり、集水部５のたて糸が通常たて糸２ｂであるので、図３に示すように剛直化するのは集排水管１の排水部４のみであり集水部５は剛直化しないが、よこ糸３が剛直なモノフィラメントよりなっているので、排水部４のみが剛直化するだけでも、集排水管１全体として十分に剛直化する。
【００３４】
図５は本発明の集排水管１を使用して、集排水管１を崖地９などに穿設した敷設穴１０内に押し込んで敷設する状態を示すものである。すなわち集排水管１はコイル状に巻回されており、当該コイル状に巻回した集排水管１をコイルから巻き戻して、真っ直ぐに伸ばしながら、崖地９に穿設された敷設穴１０に押し込んで、当該敷設穴１０に挿通している状態を示している。
【００３５】
而してこのコイル状に巻回した集排水管１を、前記コイルから巻き戻して真っ直ぐに伸ばした状態で加熱ゾーン１１内に送り込み、当該加熱ゾーン１１内において前記低融点糸の融点よりもわずかに高い温度に加熱する。これにより図３に示すように、低融点たて糸２aにおける低融点糸が一部溶融する。
【００３６】
次いでこの集排水管１を冷却ゾーン１２内を通して冷却する。これにより前記溶融していた低融点糸が固化し、当該低融点糸を構成していた単繊維が融着し、さらによこ糸３とも融着した状態で固化するので、低融点糸が剛直な糸条となる。
【００３７】
これにより集排水管１における低融点たて糸２aを織り込んだ排水部４全体が剛直化すると共に、よこ糸３が剛直なモノフィラメントよりなっているので、集排水管１全体が剛直化する。
【００３８】
次いでこの集排水管１を、崖地９に穿設した敷設穴１０内に押し込んで挿通する。本発明によれば、前述のように集排水管１が剛直化しているので、当該剛直化した集排水管１を後方から押して敷設穴１０に挿入することができる。
【００３９】
従って本発明によれば、加熱前の集排水管１は比較的柔軟であって、長尺の集排水管１を小径のコイル状に巻回することができ、これをトラックなどに搭載して作業現場に搬送することができる。
【００４０】
そしてその集排水管１を作業現場において一旦加熱し次いで冷却することにより、低融点糸を溶融して集排水管１を剛直化せしめ、その集排水管１が敷設穴１０の内面に引っ掛かることなく、集排水管１を後方から押して敷設穴１０内に長い距離に亘って押し込むことが可能となるのである。
【００４１】
また本発明においては、集排水管１を構成する筒状織布のたて糸２が、集排水管１の下部の排水部４においては低融点たて糸２aであり、上部の集水部５においては通常たて糸２ｂであるので、前記加熱・冷却により剛直化するのは排水部４のみである。
【００４２】
そして当該排水部４においては、低融点たて糸２aが互いに合体することにより目詰まりを生じ、集排水管１の壁面を通しての通水性がほとんど無くなると共に、集水部５においては通常たて糸２ｂは溶融することがないので、筒状織布の布目を通しての通水性は確保されている。
【００４３】
従ってこの集排水管１を敷設穴１０に挿通した状態に置いて、集排水管１の集水部５においては布目を通して地下水を集排水管１内に収容することができ、また排水部４においては通水性がほとんどないので、一旦収容した水は集排水管１の下部の排水部４を樋のように流れて、有効に崖地９の外に排出することができるのである。
【００４４】
なお本発明においては、前記よこ糸３は、すべてのよこ糸３をモノフィラメント糸よりなるものとすることもできるが、モノフィラメント糸と通常のマルチフィラメント糸又はスパン糸とを、交互に織り込むことも可能である。
【００４５】
このようにすることにより、モノフィラメント糸の間隔が開き、集排水管１が柔軟となって、より小径のコイル状に巻回することが可能となる。また低融点糸を溶融固化せしめることにより集排水管１を剛直化せしめた状態においては、モノフィラメント糸の剛直性は無関係であり、集排水管１は十分に剛直化している。
【符号の説明】
【００４６】
１  集排水管
２  たて糸
２a  低融点たて糸
２b  通常たて糸
３  よこ糸
４  排水部
５  集水部
６  芯鞘型繊維
７  芯部
８  鞘部
９  崖地
１０  敷設穴
【図１】
0006598201.tif 000002
【図２】
0006598201.tif 000003
【図３】
0006598201.tif 000004
【図４】
0006598201.tif 000005
【図５】
0006598201.tif 000006